(57)【特許請求の範囲】
【請求項１】
筒状に形成された中空部材の開口端部を塞ぐ端部キャップであって、
蓋部と、この蓋部から延び前記中空部材に挿入される挿入部と、前記蓋部と前記中空部材の開口端部との間に位置する変形可能な止水材とを備え、
前記蓋部および前記挿入部のいずれか一方には、連結部が設けられ、他方には、被連結部が設けられ、
前記連結部が前記被連結部に連結することで、前記蓋部と前記挿入部とが連結されるとともに、前記蓋部と前記挿入部との間における前記連結部および前記被連結部以外の部分に隙間が形成され、
前記止水材は、前記隙間内に位置し、かつ、前記隙間を構成する前記蓋部の端部および当該止水材の端部が前記挿入部よりも外側に突出するように前記蓋部および前記挿入部の少なくとも一方に取り付けられている端部キャップ。
【請求項２】
前記挿入部および前記中空部材の内部のいずれか一方には、固定用係合部が設けられ、他方には、固定用被係合部が設けられ、
前記挿入部が挿入された際に、前記固定用係合部と前記固定用被係合部とが係合することで前記中空部材に取り付けられる請求項１に記載の端部キャップ。
【請求項３】
前記挿入部には、前記蓋部から延び弾性変形可能な構成を有する前記固定用係合部が設けられ、
前記中空部材の内部には、前記固定用係合部を前記止水材から離れる方向に弾性変形させた状態で前記固定用係合部に係合される前記固定用被係合部が設けられ、
前記固定用係合部の弾性力を用いて前記止水材を前記中空部材に押し付ける押付手段が構成されている請求項２に記載の端部キャップ。
【請求項４】
前記挿入部には、前記蓋部から延び弾性変形可能な構成を有する前記固定用係合部が設けられ、
前記固定用係合部には、前記挿入部の挿入方向に対して傾斜しかつ前記固定用被係合部に摺接する傾斜面部が設けられ、
前記中空部材の内部には、前記固定用係合部を弾性変形させた状態で前記固定用係合部に係合される前記固定用被係合部が設けられ、
前記固定用係合部の前記傾斜面部と前記固定用被係合部との摺接による前記固定用係合部のせり上がりを用いて前記止水材を前記中空部材に押し付ける押付手段が構成されている請求項２に記載の端部キャップ。
【請求項５】
前記止水材は、前記蓋部に取り付けられている請求項１から請求項４のいずれかに記載の端部キャップ。
【請求項６】
枠体を備えた建具であって、
前記枠体は、筒状に形成された枠材を有して構成され、
前記枠材の開口端部に請求項１から請求項５のいずれかに記載の端部キャップが取り付けられた建具。
【請求項７】
前記連結部は、前記枠材の見込み方向にスライド嵌合可能なスライド嵌合部であり、
前記被連結部は、スライド被嵌合部であり、
前記スライド嵌合部が前記スライド被嵌合部にスライド嵌合することで前記蓋部と前記挿入部とが連結される請求項６に記載の建具。
【請求項８】
前記連結部は、前記枠材の見付け方向にスライド嵌合可能なスライド嵌合部であり、
前記被連結部は、スライド被嵌合部であり、
前記スライド嵌合部が前記スライド被嵌合部にスライド嵌合することで前記蓋部と前記挿入部とが連結される請求項６に記載の建具。
【請求項９】
前記連結部は、前記枠材の長手方向に延びる連結用係合部であり、
前記被連結部は、連結用被係合部であり、
前記連結用係合部と前記連結用被係合部とが係合することで前記蓋部と前記挿入部とが連結されている請求項６に記載の建具。
【発明の詳細な説明】
【技術分野】
【０００１】
本発明は、端部キャップおよび建具に関し、詳しくは、筒状に形成された中空部材の開口端部を塞ぐ端部キャップ、この端部キャップが取り付けられた建具に関する。
【背景技術】
【０００２】
従来、枠材の端部木口（小口）を塞ぐために樹脂製等の木口キャップが用いられている。この木口キャップは、通常、木口の形態に合わせた蓋状に形成され、木口キャップの外側からビスを貫通させ、そのビスを枠材に螺合することで固定されている。
しかし、蓋状の木口キャップを枠材の端部に固定する際には、木口キャップを作業者が手で押さえながらビス止め作業を実施する必要があるため、作業性が悪い。さらに、木口キャップと枠材の端部との間には、止水用のシール材（パッキン）が設けられるのが一般的であるが、ビス止めの場合には、ビスがシール材を貫通して水の浸入経路ができてしまったり、ビスの締め付けによるシール材の押圧力にばらつきが生じてしまったりなど、止水性能上の問題がある。
【０００３】
一方、蓋状の部分（端板）から枠材内に延びる嵌合部を有した木口キャップが提案されている（例えば、特許文献１参照）。
この木口キャップでは、嵌合部を枠材の中空内部に挿入するとともに、その係合片を枠材に形成した係合孔に係合させることで、木口キャップが枠材に固定されるようになっている。そして、端板と嵌合部との交差部分に取り付けたシール材（パッキン材）を枠材の端縁に当接させることで、木口キャップと枠材との間の止水性能を確保する構造となっている。
【０００４】
【特許文献１】特開２００４−１７６２６３号公報
【発明の開示】
【発明が解決しようとする課題】
【０００５】
しかしながら、特許文献１に記載された従来の小口キャップでは、端板と嵌合部との交差部分にシール材が貼り付けられる構成のため、複雑な形状になる交差部分へのシール材の取付作業が面倒であるとともに、貼り付けが不十分になりやすく止水性能上の弱点となってしまうという問題がある。
【０００６】
本発明の目的は、止水材を容易に取り付けられ、かつ、十分な止水性能を確保可能な端部キャップおよび建具を提供することにある。
【課題を解決するための手段】
【０００７】
本発明の端部キャップは、筒状に形成された中空部材の開口端部を塞ぐ端部キャップであって、蓋部と、この蓋部から延び前記中空部材に挿入される挿入部と、前記蓋部と前記中空部材の開口端部との間に位置する変形可能な止水材とを備え、前記蓋部および前記挿入部のいずれか一方には、連結部が設けられ、他方には、被連結部が設けられ、前記連結部が前記被連結部に連結することで、前記蓋部と前記挿入部とが連結されるとともに、前記蓋部と前記挿入部との間における前記連結部および前記被連結部以外の部分に隙間が形成され、前記止水材は、前記隙間内に位置し、かつ、前記隙間を構成する前記蓋部の端部および当該止水材の端部が前記挿入部よりも外側に突出するように前記蓋部および前記挿入部の少なくとも一方に取り付けられていることを特徴とする。
【０００８】
ここで、本発明の端部キャップが取り付けられる中空部材としては、例えば、サッシ窓等の建具に用いられる枠材（窓枠の枠材や障子の框材、額縁材等）、手摺り、ルーバー、面格子、カーポート屋根、庇、テラス等に用いるものが例示できる。また、中空部材は、筒状の軸方向が水平方向と一致するように、あるいは垂直方向と一致するように配置されるものであってもよい。また、本発明の端部キャップを中空部材に取り付ける方法としては、係合、嵌合、圧入、ねじ止め、接着等の各種取付方法が例示できる。
また、筒状に形成された中空部材としては、１つの部材から構成されてもよく、複数の部材によって構成されてもよい。
また、止水材は、蓋部と挿入部が連結される前の状態において、蓋部および挿入部の少なくとも一方に取り付けられていればよく、蓋部と挿入部の両方に取り付けられていてもよい。
【０００９】
以上の本発明によれば、蓋部と挿入部とを別体としているので、蓋部および挿入部の少なくとも一方に止水材を取り付けた後にこの蓋部に挿入部を連結することにより、端部キャップを組立てることができる。従って、連結されていない蓋部および挿入部の少なくとも一方に止水材を取り付けることができ、止水材の取り付けを容易に実施できる。また、蓋部および挿入部の少なくとも一方に止水材を確実に取り付けることができ、止水材と中空部材とを密接させ易くなり、十分な止水性能を確保できる。
【００１０】
また、本発明の端部キャップでは、前記挿入部および前記中空部材の内部のいずれか一方には、固定用係合部が設けられ、他方には、固定用被係合部が設けられ、前記挿入部が挿入された際に、前記固定用係合部と前記固定用被係合部とが係合することで前記中空部材に取り付けられる構成が好ましい。
このような構成によれば、固定用係合部および固定用被係合部の係合により、端部キャップが中空部材に固定されるので、端部キャップの中空部材への取り付けをより容易に実施できる。また、端部キャップと中空部材との取り付け状態を一定にでき、止水性能のばらつきを抑制できる。
【００１１】
さらに、本発明の端部キャップでは、前記挿入部には、前記蓋部から延び弾性変形可能な構成を有する前記固定用係合部が設けられ、前記中空部材の内部には、前記固定用係合部を前記止水材から離れる方向に弾性変形させた状態で前記固定用係合部に係合される前記固定用被係合部が設けられ、前記固定用係合部の弾性力を用いて前記止水材を前記中空部材に押し付ける押付手段が構成されている構成が好ましい。
このような構成によれば、固定用係合部および固定用被係合部によって、止水材を中空部材に押し付ける押付手段を構成したので、止水材を中空部材に押し付けるために別途部品等を設ける必要がなく、部品点数の削減や端部キャップの小型化を容易に図ることができる。また、固定用係合部を止水材から離れる方向に弾性変形させた状態で固定用被係合部に係合させることで、固定用係合部の弾性力により蓋部における止水材が取り付けられる箇所を中空部材側へ付勢させて、止水材を中空部材に押し付けることができる。従って、止水材および中空部材の密接性を高めることができ、止水性能を向上させることができる。
【００１２】
また、本発明の端部キャップでは、前記挿入部には、前記蓋部から延び弾性変形可能な構成を有する前記固定用係合部が設けられ、前記固定用係合部には、前記挿入部の挿入方向に対して傾斜しかつ前記固定用被係合部に摺接する傾斜面部が設けられ、前記中空部材の内部には、前記固定用係合部を弾性変形させた状態で前記固定用係合部に係合される前記固定用被係合部が設けられ、前記固定用係合部の前記傾斜面部と前記固定用被係合部との摺接による前記固定用係合部のせり上がりを用いて前記止水材を前記中空部材に押し付ける押付手段が構成されている構成が好ましい。
このような構成によれば、固定用係合部の傾斜面部と固定用被係合部とを摺接させ、固定用係合部の弾性力で固定用係合部を固定用被係合部に対してせり上げることで、蓋部を挿入部の挿入方向へ付勢して止水材を中空部材に押し付けることができる。従って、止水材および中空部材の密接性を高めることができ、止水性能を向上させることができる。
【００１３】
そして、本発明の端部キャップでは、前記止水材は、前記蓋部に取り付けられている構成が好ましい。
このような構成によれば、止水材を容易に端部キャップに取り付けることができる。
【００１４】
本発明の建具は、枠体を備えた建具であって、前記枠体は、筒状に形成された枠材を有して構成され、前記枠材の開口端部に上述の端部キャップが取り付けられたことを特徴とする。
【００１５】
ここで、枠体としては、上下左右の枠材が四周枠組みされて建物に固定される窓枠、ドア枠、開口枠等の建具枠、障子やドアを構成する框材が例示できる。すなわち、本発明の建具は、各種の開閉形式を有した窓や出入り口、あるいは開閉不能な嵌め殺し窓等、任意のものが採用可能である。
このような建具によれば、前述の端部キャップと略同様の作用効果を得られる。すなわち、止水材を容易に取り付けられるので、止水材を確実に取り付けることができ、止水材と枠材とを密接させ易くなり、十分な止水性能が確保された建具を得られる。
【００１６】
そして、本発明の建具では、前記連結部は、前記枠材の見込み方向にスライド嵌合可能なスライド嵌合部であり、前記被連結部は、スライド被嵌合部であり、前記スライド嵌合部が前記スライド被嵌合部にスライド嵌合することで前記蓋部と前記挿入部とが連結される構成が好ましい。
また、本発明の建具では、前記連結部は、前記枠材の見付け方向にスライド嵌合可能なスライド嵌合部であり、前記被連結部は、スライド被嵌合部であり、前記スライド嵌合部が前記スライド被嵌合部にスライド嵌合することで前記蓋部と前記挿入部とが連結される構成が好ましい。
さらに、本発明の建具では、前記連結部は、前記枠材の長手方向に延びる連結用係合部であり、前記被連結部は、連結用被係合部であり、前記連結用係合部と前記連結用被係合部とが係合することで前記蓋部と前記挿入部とが連結されている構成が好ましい。
これらのような構成にすれば、スライド嵌合あるいは係合による簡単な方法で蓋部および挿入部を連結させることができる。そして、枠材の形態や位置、枠材と建物躯体との固定形態、枠材に対する端部キャップの固定強度、蓋部と挿入部との嵌合強度等の設計条件に応じて、適切な端部キャップを選択することができる。
【発明を実施するための最良の形態】
【００１７】
以下、本発明の実施形態を図面に基づいて説明する。
図１は、本発明の実施形態に係る建具としての引違い窓の一部を示す横断面図である。図２は、縦枠および端部キャップの分解斜視図である。図３は、端部キャップの分解斜視図である。図４は、縦枠への端部キャップの取り付け状態を示す縦断面図であり、図１のIV−IV線に沿った縦断面図である。
図１において、建具としての引違い窓１は、戸建て住宅等の建物における外壁２の開口部に設けられて、建物の室内空間と室外空間とを仕切る建具である。
【００１８】
窓１は、枠材としての縦枠３、下枠４、図示しない上枠および縦枠を四周枠組みした窓枠１Ａと、この窓枠１Ａの内側に左右スライド開閉自在に支持された障子１Ｂと、この障子１Ｂの室外側に開閉自在に支持された網戸１Ｃとを備えて構成されている。
縦枠３は、図１および図２に示すように、それぞれアルミ形材製の縦枠本体３１と、この縦枠本体３１に取り付けられるカバー３２とを備えて構成されている。
縦枠本体３１は、室外側に開口した断面略コ字状の室外部３１１と、見込み方向の室内側に延びて障子１Ｂと対向する障子対向部３１２とを備えて構成されている。
室外部３１１における見込み方向に延びる一対の略板状部分には、チャンネル状の内側に突出した一対の突片部３１３がそれぞれ設けられている。また、これら一対の突片部３１３には、四角形状に切欠かれた固定用被係合部としての一対の固定用切欠部３１４がそれぞれ設けられている。
【００１９】
カバー３２は、断面略コ字状に形成され、縦枠本体３１の室外部３１１における略コ字状の開口部分を閉塞するように取り付けられる。このカバー３２の室外部３１１への取り付けにより、縦枠３における下枠４側の端部に、下方に開口する開口端部３３が形成される。この開口端部３３は、見込み方向の寸法が見付け方向の寸法よりも小さい略長方形状に形成されている。つまり、縦枠３における室外部３１１およびカバー３２で構成される略四角筒状によって、本発明の中空部材が構成されている。
そして、開口端部３３には、以下に説明する各形態の端部キャップ５，５Ａ，５Ｂが取り付けられる。
【００２０】
［第１実施形態］
以下、第１実施形態の端部キャップ５について説明する。
端部キャップ５は、図２および図３に示すように、縦枠３の下端部の外側に位置する樹脂製の蓋部５１と、この蓋部５１と連結可能な樹脂製の挿入部５２と、蓋部５１と縦枠３の開口端部３３との間に位置する軟質樹脂製の止水材５４とを備えて構成されている。
【００２１】
蓋部５１は、開口端部３３を閉塞可能な略長方形状に形成され、その長手方向が縦枠３の見付け方向と一致する状態で設けられる蓋本体部５１１を備えている。この蓋本体部５１１の短手方向（見込み方向）の一側縁側（躯体側）には、止水材５４が固定される長方形状の止水材配置部５１２が設けられている。また、蓋本体部５１１の略中央には、長手方向（見付け方向）に並設されたスライド嵌合部としての３条のスライドレール部５１３，５１４，５１５が設けられている。中央に位置するスライドレール部５１４は、見込み方向に延びる断面略Ｔ字のレール状に形成され、両側に位置するスライドレール部５１３，５１５は、見込み方向に延びる断面略Ｌ字のレール状に形成されている。
【００２２】
挿入部５２は、断面略コ字状に形成され、蓋部５１に対して立設するように、つまり蓋部５１から延びるように設けられた挿入本体部５２１を備えている。この挿入本体部５２１は、室外側に開口する状態で開口端部３３から縦枠３内に挿入される。この挿入本体部５２１における略コ字状の開口に対向する略板状部分（以下、本体室内側部分と称す）には、四角形状に切欠かれた一対の先端進入部５２２が設けられている。この先端進入部５２２は、本体室内側部分の上側縁における左右方向（見付け方向）両側に設けられている。
そして、挿入本体部５２１の見付け方向および見込み方向の寸法は、止水材配置部５１２の見付け方向および見込み方向の寸法よりもそれぞれ小さく設定されている。
【００２３】
さらに、挿入本体部５２１における見込み方向に延びる一対の略板状部分の内側には、一対の固定用係合部５２３が設けられている。これら一対の固定用係合部５２３は、挿入本体部５２１の下側縁側から上側縁側に向かうに従って室内側から離れる方向に延びる略棒状に形成されている。この固定用係合部５２３の先端側は、先端進入部５２２に対向し、先端進入部５２２内に進入可能な形状に、かつ、先端に向かうに従って厚さ寸法が小さくなるように形成されている。固定用係合部５２３における室外側の面には、略三角形板状に膨出する係合爪部５２４が設けられている。この係合爪部５２４における下側の膨出基端には、円弧面状の傾斜面部としての円弧面部５２５が設けられている。つまり、円弧面部５２５は、固定用係合部５２３が延びる方向に対して傾斜して形成されている。
【００２４】
また、挿入本体部５２１の下側縁における一対の固定用係合部５２３の間には、室外側に延びる略長方形板状の挿入中央下面部５２６が設けられている。この挿入中央下面部５２６は、その下面が挿入本体部５２１の下端よりも下側に位置する状態で設けられている。また、挿入中央下面部５２６の下面側には、スライド被嵌合部としての３条のスライド長溝部５２７，５２８，５２９が設けられている。中央に位置するスライド長溝部５２８は、スライドレール部５１４がスライド嵌合可能な断面略Ｔ字の長溝状に形成され、両側に位置するスライド長溝部５２７，５２９は、スライドレール部５１３，５１５がスライド嵌合可能な断面略Ｌ字の長溝状に形成されている。スライド長溝部５２７，５２８，５２９は、室内側端部が開口され、室外側端部が閉塞された長溝状に形成されている。
【００２５】
止水材５４は、発泡樹脂等の軟質で変形可能な材料により、各面が長方形の直方体形状に形成されている。
止水材５４の厚さ寸法は、蓋部５１の止水材配置部５１２と、挿入部５２の挿入本体部５２１との間に形成される隙間の高さ寸法よりも小さく設定されている。つまり、止水材５４は、蓋部５１に挿入部５２をスライド嵌合した際に挿入部５２により押し潰されないようになっており、めくれ上がらないようになっている。なお、止水材５４が若干押し潰されるように構成しても構わない。
また、止水材５４は、平面視で止水材配置部５１２と略等しい、すなわち縦枠３の開口端部３３に当接するように形成されている。
【００２６】
次に、端部キャップ５の組立て方法について説明する。
まず、蓋部５１の止水材配置部５１２に、止水材５４を例えば接着剤で固定する。そして、蓋部５１のスライドレール部５１３〜５１５を室内側から挿入部５２のスライド長溝部５２７〜５２９にスライド嵌合させることにより、蓋部５１および挿入部５２を連結する。
このとき、スライド長溝部５２７〜５２９の室外側が閉塞されているため、この閉塞部分と、スライドレール部５１３〜５１５の端部との当接により、蓋部５１に対する挿入部５２のスライドが規制される。また、止水材配置部５１２および止水材５４は、室内側の端部が挿入本体部５２１よりも室内側に突出し、見付け方向両側の端部が挿入本体部５２１よりも外側に突出した状態で設けられる。以上により、端部キャップ５の組立てが完了する。
【００２７】
次に、図４に基づいて、端部キャップ５の縦枠３への取り付け方法について説明する。
まず、端部キャップ５の挿入部５２を縦枠３の開口端部３３内へ挿入する。この際、まず、固定用係合部５２３の先端側の傾斜部分が、突片部３１３の下端に当接する。そして、挿入部５２がさらに挿入され、固定用係合部５２３と突片部３１３との当接部分が固定用係合部５２３の基端側へ移動すると、この移動に従って、固定用係合部５２３の先端が室内側に弾性変形する。このとき、固定用係合部５２３は、その先端側が先端進入部５２２内に進入するまで弾性変形する。
【００２８】
この後、挿入部５２がさらに挿入されると、挿入本体部５２１から突出する止水材５４の上面と、開口端部３３とが当接する。さらに、挿入部５２が挿入されると、止水材５４は、室内側端部側および見付け方向両側端部側が押し潰され、室外部３１１の内面３１５に密接する。
この後、係合爪部５２４の膨出先端が固定用切欠部３１４に到達すると、固定用係合部５２３が弾性変形の反力により室外側へ移動する。さらに、図４に示すように、係合爪部５２４の円弧面部５２５が固定用切欠部３１４に対して摺動し、端部キャップ５が矢印Ｙ１で示すような挿入方向へ案内される。そして、固定用係合部５２３が弾性変形した状態で係合爪部５２４が固定用切欠部３１４に係合し、端部キャップ５が縦枠３に固定される。このように固定された状態において、開口端部３３と蓋部５１とで止水材５４の端部が押し潰されるとともに、室外部３１１の内面３１５に止水材５４が密接することで、開口端部３３における外壁２側の部分と止水材５４との間の十分な止水性能が確保される。
また、端部キャップ５が縦枠３に固定された状態では、円弧面部５２５と固定用切欠部３１４とが摺接し、固定用係合部５２３の弾性変形の反力により、円弧面部５２５が固定用切欠部３１４に対してせり上がる方向に付勢されている。すなわち、固定用切欠部３１４、円弧面部５２５により本発明の押付手段が構成されている。このため、蓋部５１が矢印Ｙ１で示す方向に付勢され、止水材５４の端部がさらに押し潰されるので、開口端部３３に止水材５４がより密接するようになっている。
さらに、この固定状態では、蓋部５１あるいは止水材５４の端部と、外壁２とが当接し、挿入部５２に対する蓋部５１の外壁２側（室内側）への移動が規制される。また、上述したようなスライド長溝部５２７〜５２９の閉塞部分と、スライドレール部５１３〜５１５の端部との当接により、挿入部５２に対する蓋部５１の室外側への移動が規制される。これらの移動規制により、蓋部５１が挿入部５２から外れないようになっている。
【００２９】
このような第１実施形態によれば、以下のような効果がある。
（１）すなわち、端部キャップ５の蓋部５１と挿入部５２とを別体としているので、挿入部５２が連結されていない蓋部５１に止水材５４を固定することができ、複雑な形状になる蓋部５１および挿入部５２の交差部分であっても、止水材５４を容易に取り付けることができる。また、止水材５４を容易に取り付けられるので、蓋部５１に止水材５４を確実に固定することができ、止水材５４と縦枠３とを密着させやすくなり、十分な止水性能を確保できる。
【００３０】
（２）挿入部５２の固定用係合部５２３と、縦枠３の固定用切欠部３１４との係合により、端部キャップ５を縦枠３に固定するので、端部キャップ５と縦枠３との固定作業を容易にできる。さらに、端部キャップ５と縦枠３との取り付け状態を作業者によらず一定にすることができ、止水性能のばらつきを抑制できる。また、固定用係合部５２３と固定用切欠部３１４とを係合させることにより、縦枠３と蓋部５１とで止水材５４の端部を押し潰し、止水材５４を縦枠３に密接させることができるので、止水性能を向上させることができる。
【００３１】
（３）円弧面部５２５と固定用切欠部３１４とを摺接させ、固定用係合部５２３の弾性変形の反力により、円弧面部５２５が固定用切欠部３１４に対してせり上がる方向に固定用係合部５２３を付勢している。このため、蓋部５１も図４の矢印Ｙ１で示す方向に付勢することができ、止水材５４の端部をさらに押し潰すことができる。従って、開口端部３３に止水材５４がより密接し、止水性能をより向上させることができる。
【００３２】
（４）止水材５４を蓋部５１に固定しているので、止水材５４を容易に端部キャップ５に取り付けることができる。
【００３３】
（５）挿入部５２の挿入本体部５２１に、固定用係合部５２３が弾性変形したときに、その先端側が進入可能な先端進入部５２２を設けている。このため、固定用係合部５２３の弾性変形量によらず、その先端側が挿入本体部５２１に接触することがないので、固定用係合部５２３と挿入本体部５２１との隙間を小さくできる。
【００３４】
（６）蓋部５１のスライドレール部５１３〜５１５を、挿入部５２のスライド長溝部５２７〜５２９にスライド嵌合させるので、蓋部５１と挿入部５２とを容易にかつ確実に連結できる。
【００３５】
（７）固定用係合部５２３を弾性変形させた状態で端部キャップ５を縦枠３に取り付けるので、この弾性変形の反力により係合爪部５２４と固定用切欠部３１４との間のがたつきを防止できる。さらに、縦枠３や端部キャップ５の変形等による寸法変化が生じたとしても、寸法変化前後での縦枠３と蓋部５１とによる止水材５４の端部の押し潰し量を一定にできる。
【００３６】
［第２実施形態］
次に、図５に基づいて、本発明の第２実施形態の端部キャップ５Ａについて説明する。この第２実施形態は、端部キャップ５Ａの形態が相違し、他の構成は第１実施形態と略同一である。なお、第１実施形態の構成と同様の機能を有する構成については、同一の名称を付して説明を簡略にする。
図５に示す端部キャップ５Ａは、樹脂製の蓋部５６と、この蓋部５６と連結可能な樹脂製の挿入部５７と、止水材５４とを備えて構成されている。
【００３７】
蓋部５６は、止水材配置部５６２を有する蓋本体部５６１を備えている。この蓋本体部５６１の略中央には、見付け方向に延びる断面略Ｔ字のレール状に形成されたスライド嵌合部としてのスライドレール部５６３が設けられている。このスライドレール部５６３の長手方向の一端側には、蓋本体部５６１に立設するスライド規制部５６４が設けられている。
【００３８】
挿入部５７は、挿入本体部５７１を備えている。この挿入本体部５７１の見付け方向の両側縁には、室内側から離れる方向に延びる略棒状の一対の固定用係合部５７２が設けられている。これら固定用係合部５７２の室外側の面には、略三角形板状に膨出する係合爪部５７３が設けられている。
また、挿入本体部５７１には、室外側に延び、かつ、下面が挿入本体部５７１の下端よりも下側に位置する形状の挿入中央下面部５７４が設けられている。この挿入中央下面部５７４の下面側には、断面略Ｔ字の長溝状に形成されたスライド被嵌合部としてのスライド長溝部５７５が設けられている。
【００３９】
そして、端部キャップ５Ａを組立てる際には、止水材５４が固定された蓋部５６のスライドレール部５６３を挿入部５７のスライド長溝部５７５にスライド嵌合させる。
このとき、スライド長溝部５７５の端部と、スライドレール部５６３のスライド規制部５６４との当接により、蓋部５６に対する挿入部５７のスライドが規制される。また、止水材５４は、室内側および見込み方向両側の端部が挿入本体部５７１よりも突出する。
【００４０】
さらに、端部キャップ５Ａの縦枠への取り付けは、端部キャップ５のときと同様に、縦枠の固定用被係合部に固定用係合部５７２の係合爪部５７３を係合させる。このとき、止水材５４は、縦枠の開口端部および蓋部５６で端部が押し潰されるとともに、縦枠の内面に密接する。
ここで、例えば下枠が端部キャップ５Ａに対して図５における左側に設けられている場合、蓋部５６あるいは止水材５４の端部と、下枠とが当接し、挿入部５７に対する蓋部５６の下枠側（図５における左側）への移動が規制される。また、上述したようなスライド長溝部５７５の端部と、スライド規制部５６４との当接により、挿入部５７に対する蓋部５６の下枠と反対側（図５における右側）への移動が規制される。これらの移動規制により、蓋部５６が挿入部５７から外れないようになる。
【００４１】
このような構成によれば、第１実施形態の（１）、（２）、（４）、（７）と同様の効果に加え、以下のような効果がある。
すなわち、蓋部５６および挿入部５７を見付け方向にスライド嵌合させる構成としているので、縦枠の見込み方向の寸法、つまり縦枠の厚さ寸法が小さい場合であっても、スライド距離を十分に確保できる。従って、薄型化された縦枠に対しても十分な止水性能を確保可能な端部キャップ５Ａを提供できる。
【００４２】
［第３実施形態］
次に、図６に基づいて、本発明の第３実施形態の端部キャップ５Ｂについて説明する。この第３実施形態の端部キャップ５Ｂは、第１実施形態のスライドレール部５１３〜５１５の代わりに一対の連結用係合部６０１および一対の位置決め部６０２を備え、スライド長溝部５２７〜５２９の代わりに連結用被係合部としての連結用孔部６２１を備えた構成を有している。
一対の連結用係合部６０１は、見付け方向に並びかつ略棒状に立設する状態で、つまり縦枠３の長手方向に延びる状態で設けられている。この連結用係合部６０１の先端側には、互いに離れる方向に膨出する係合爪部６０３が設けられている。一対の位置決め部６０２は、見込み方向に並びかつ略板状に立設する状態で設けられている。
連結用孔部６２１は、挿入中央下面部５２６に略長方形状に開口形成され、連結用係合部６０１、位置決め部６０２が係合するときに、対向する一対の内面に連結用係合部６０１が面接触し、他の一対の内面に位置決め部６０２が面接触する形状に形成されている。
【００４３】
そして、端部キャップ５Ｂを組立てる際には、止水材５４が固定された蓋部６０の連結用係合部６０１、位置決め部６０２を、挿入部６１の連結用孔部６２１に係合させる。
このとき、一対の連結用係合部６０１が互いに近づく方向に弾性変形した状態で連結用孔部６２１と面接触することにより、蓋部６０および挿入部６１が互いに見付け方向に位置決めされる。また、係合爪部６０３が連結用孔部６２１の周縁に当接することにより、蓋部６０および挿入部６１が互いに上下方向に位置決めされ、蓋部６０が挿入部６１から外れないようになる。さらに、連結用孔部６２１と、位置決め部６０２との面接触により、蓋部６０および挿入部６１が互いに見込み方向に位置決めされる。
さらに、止水材５４は、蓋部６０および挿入部６１により押し潰されるとともに、縦枠の内面に密接する。なお、止水材５４は、蓋部６０および挿入部６１により押し潰されないように構成してもよい。
【００４４】
このような構成によれば、第１実施形態の（１）〜（５）、（７）と同様の効果に加え、以下のような効果がある。
すなわち、蓋部６０および挿入部６１を縦枠３の上下方向に係合させる構成としているので、蓋部６０および挿入部６１を容易に連結できる。さらに、止水材５４を上下方向から挟み込むように蓋部６０および挿入部６１を係合している。このため、止水材５４の上面を挿入部６１がスライドしないので、蓋部６０および挿入部６１の連結時にスライドに伴う摩擦力が発生することがなく、さらに容易に連結できる。また、止水材５４がめくれ上がったり、蓋部６０に対してずれたりするのを防止できる。
【００４５】
なお、本発明は、前記第１〜第３実施形態に限定されるものではなく、本発明の目的を達成できる他の構成等を含み、以下に示すような変形等も本発明に含まれる。
【００４６】
例えば、端部キャップ５の蓋部５１と、挿入部５２とを連結する方法として、圧入、ねじ止め、接着等を用いてもよい。さらに、端部キャップ５を枠材としての下枠４や上枠の開口端部を塞ぐ構成として用いてもよい。また、障子やドアの框材の開口端部を塞ぐ構成として用いてもよい。さらには、端部キャップ５を手摺り、ルーバー、面格子、カーポート屋根、庇、テラス等に用いる中空部材の開口端部を塞ぐ構成として用いてもよい。また、固定用係合部５２３を弾性変形させない状態で端部キャップ５を縦枠３に取り付けてもよい。さらに、円弧面部５２５の代わりに、固定用係合部５２３の軸方向に対して傾斜する平面状の傾斜面部を設けてもよい。また、スライドレール部５１３〜５１５を挿入部５２に設け、スライド長溝部５２７〜５２９を蓋部５１に設けてもよい。さらに、固定用切欠部３１４を端部キャップ５に設け、固定用係合部５２３を縦枠３に設けてもよい。
また、止水材５４を蓋部５１，５６，６０側に取り付けたがこれに限ることなく、挿入部５２，５７，６１側に取り付けてもよく、これら両方に取り付けてもよい。つまり、蓋部と挿入部が連結される前の状態において、蓋部および挿入部の少なくとも一方に取り付けられていればよい。
なお、これらの構成は、第２，第３実施形態や以下に示す各端部キャップに適宜適用してもよい。
【００４７】
また、図７に示すような縦枠３Ａの開口端部３５を塞ぐ端部キャップ５Ｃを適用してもよい。
縦枠３Ａは、断面略コ字状の室外部３４１を備えている。この室外部３４１における見込み方向に延びる一対の略板状部分には、切欠き形成された固定用被係合部としての固定用切欠部３４３を有し、内側に延びる突片部３４２がそれぞれ設けられている。
【００４８】
端部キャップ５Ｃの挿入部６４は、スライド嵌合、端部キャップ５Ｂと同様の係合、あるいは圧入、ねじ止め、接着剤等により蓋部６３に連結可能に構成されている。この挿入部６４には、先端に向かうに従って室内側に近づく方向に延びる略棒状の固定用係合部６４１が設けられている。この固定用係合部６４１は、固定用係合部５２３と略等しい形状に形成され、係合爪部６４２および傾斜面部としての円弧面部６４３を備えている。
そして、止水材５４が室内側に位置する状態で蓋部６３と挿入部６４とが連結され、止水材５４は、室内側の端部が挿入部６４よりも室内側に突出する状態で設けられる。
【００４９】
端部キャップ５Ｃの縦枠３Ａへの取り付けは、固定用係合部６４１を室外側へ、すなわち止水材５４から離れる方向へ弾性変形させつつ挿入部６４を開口端部３５内へ挿入する。そして、固定用係合部６４１が弾性変形した状態で、縦枠３Ａの固定用切欠部３４３に円弧面部６４３を当接させ、固定用係合部６４１を係合させる。このとき、開口端部３５および蓋部６３で止水材５４の端部を押し潰すとともに、室外部３４１の内面３４４に止水材５４が密接する。さらに、固定用係合部６４１が止水材５４から離れる方向（図７で反時計回り、矢印Ｙ２で示す方向）に弾性変形しているので、この弾性変形による反力により、蓋部６３における室内側（蓋部６３における止水材５４が位置する側）を上方向（矢印Ｙ３で示す方向）へ付勢するようなモーメントが発生し、止水材５４が内面３４４に押し付けられる。また、固定用係合部６４１の弾性変形の反力により、円弧面部６４３が固定用切欠部３４３に対してせり上がる方向（矢印Ｙ４で示す方向）に付勢されているので、蓋部６３も同様の方向に付勢され、止水材５４の端部がさらに押し潰される。すなわち、固定用切欠部３４３、固定用係合部６４１、円弧面部６４３により本発明の押付手段が構成されている。
【００５０】
このような構成によれば、固定用係合部６４１を止水材５４から離れる方向に弾性変形させた状態で固定用切欠部３４３に係合させているので、止水材５４が内面３４４に近づく方向に蓋部６３を付勢することができる。従って、止水材５４および縦枠３Ａの密接性をより向上できる。
なお、端部キャップ５Ｃの固定用係合部６４１を、先端に向かうに従って室内側に近づく方向に延びる形状に形成したが、垂直方向に延びる形状、あるいは先端に向かうに従って室外側に近づく形状に形成し、固定用係合部６４１が止水材５４から離れる方向に弾性変形した状態で蓋部６３および挿入部６４が連結されるようにしてもよい。
このような構成にしても、蓋部６３における室内側を矢印Ｙ３で示す上方向に付勢することができる。
【００５１】
さらに、図８に示すような縦枠３Ｂの開口端部３８を塞ぐ端部キャップ５Ｄを適用してもよい。
縦枠３Ｂは、断面略コ字状の室外部３７１を備えている。この室外部３７１における見込み方向に延びる一対の略板状部分には、切欠き形成された固定用被係合部としての固定用切欠部３７３を有し、内側に延びる一対の第１の突片部３７２と、固定用被係合部としての固定用切欠部３７５を有し、第１の突片部３７２よりも室外側から内側に延びる一対の第２の突片部３７４とが設けられている。
【００５２】
端部キャップ５Ｄの挿入部６７は、図７の挿入部６４と同様に、蓋部６６に連結可能に構成されている。この挿入部６７には、第１の固定用係合部６７１と、この第１の固定用係合部６７１よりも室外側に位置する第２の固定用係合部６７２とが設けられている。第１，第２の固定用係合部６７１，６７２は、先端に向かうに従って互いに離れる方向に延びる略棒状に形成されている。また、第１の固定用係合部６７１の室内側、第２の固定用係合部６７２の室外側には、係合爪部６７３，６７５および円弧面部６７４，６７６が設けられている。
【００５３】
端部キャップ５Ｄの縦枠３Ｂへの取り付けは、挿入部６７の第１，第２の固定用係合部６７１，６７２を縦枠３Ｂの第１，第２の突片部３７２、３７４にそれぞれ当接させるように、挿入部６７を開口端部３８内へ挿入する。そして、第１，第２の固定用係合部６７１，６７２が互いに近づく方向へ弾性変形した状態で、縦枠３Ｂの固定用切欠部３７３，３７５に円弧面部６７４，６７６を当接させ、第１，第２の固定用係合部６７１，６７２を係合させる。このとき、開口端部３８および蓋部６６で止水材５４の端部を押し潰すとともに、室外部３７１の内面３７６に止水材５４が密接する。また、円弧面部６７４，６７６が固定用切欠部３７３，３７５に対してせり上がる方向（矢印Ｙ５で示す方向）に第１，第２の固定用係合部６７１，６７２が付勢されているので、蓋部６６も同様の方向に付勢され、止水材５４の端部がさらに押し潰される。すなわち、固定用切欠部３７３，３７５、円弧面部６７４，６７６により本発明の押付手段が構成されている。
【００５４】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００５５】
【図１】本発明の第１実施形態に係る建具の一部を示す横断面図である。
【図２】前記建具における縦枠および端部キャップの分解斜視図である。
【図３】前記端部キャップの分解斜視図である。
【図４】前記縦枠への端部キャップの取り付け状態を示す縦断面図である。
【図５】本発明の第２実施形態に係る端部キャップの分解斜視図である。
【図６】本発明の第３実施形態に係る端部キャップの分解斜視図である。
【図７】本発明の変形例に係る端部キャップを示す縦断面図である。
【図８】本発明の他の変形例に係る端部キャップを示す縦断面図である。
【符号の説明】
【００５６】
１…建具としての引違い窓、３，３Ａ，３Ｂ…中空部材および枠材としての縦枠、５，５Ａ，５Ｂ，５Ｃ，５Ｄ…端部キャップ、３３，３５，３８…開口端部、５１，５６，６０，６３，６６…蓋部、５２，５７，６１，６４，６７…挿入部、５４…止水材、３１４，３４３，３７３，３７５…押付手段を構成しうる固定用被係合部としての固定用切欠部、５１３，５１４，５１５，５６３…スライド嵌合部としてのスライドレール部、５２３，５７２，６４１，６７１，６７２…押付手段を構成しうる固定用係合部、５２５，６７４，６７６…傾斜面部としての円弧面部、５２７，５２８，５２９，５７５…スライド被嵌合部としてのスライド長溝部、６０１…連結用係合部、６２１…連結用被係合部としての連結用孔部。
【図１】
0004928393.tif 000002
【図２】
0004928393.tif 000003
【図３】
0004928393.tif 000004
【図４】
0004928393.tif 000005
【図５】
0004928393.tif 000006
【図６】
0004928393.tif 000007
【図７】
0004928393.tif 000008
【図８】
0004928393.tif 000009